(57)【要約】【課題】外部エネルギーを用いることなく簡便かつ効率良く添加剤の成分を溶解させるとともに、騒音を低減し、かつ、安全性を高めつつ、手入れを簡単化できるようにした水処理用添加剤の添加装置を得る。【解決手段】容器本体２に水を注入して蓋体３を閉める水処理装置１のセッティングに伴って動作するギア群１２によって作動し、発電部１６で発生した電気エネルギーを蓄電部１７に蓄電する。蓄電部１７で蓄電した電気を、電気導体軸１４を介して添加剤１１に供給するとともに、電気導体軸１４は、ギア群１２の動作に伴って回転して添加剤１１を攪拌する。これにより、添加剤１１は、攪拌と電気的との両方によって添加成分を効率良く水に溶解させる。【選択図】図１
2010274146.tif 000002
【特許請求の範囲】
【請求項１】
水に浸漬される水処理用添加剤を備え、当該水処理用添加剤の添加成分を水に溶解させることにより水質改善して活水化する水処理用添加剤の添加装置であって、
機器のセッティング動作に伴って動作する可動部と、
前記可動部によって作動してエネルギーを蓄積するエネルギー蓄積部と、
前記エネルギー蓄積部で蓄積されたエネルギーを利用して水処理用添加剤の添加成分を水に溶解させる剤溶解促進部と、を備えることを特徴とする水処理用添加剤の添加装置。
【請求項２】
前記可動部は、機器蓋体の締め付け回転に伴って回転するギア群であり、
前記エネルギー蓄積部は、前記ギア群の回転に伴って電気エネルギーを発生する発電部と、当該発電部で発生した電気エネルギーを蓄電する蓄電部と、からなり、
前記剤溶解促進部は、前記蓄電部と水処理用添加剤とを電気的に導通して連結するとともに、前記ギア群の回転に伴って回転する電気導体軸であることを特徴とする請求項１に記載の水処理用添加剤の添加装置。
【請求項３】
前記可動部は、機器蓋体の締め付け回転に伴って回転するギア群であり、
前記エネルギー蓄積部は、前記ギア群の回転に伴って弾発力を蓄積する渦巻きばねと、当該渦巻きばねの蓄積された弾発力を一定の条件で放出する弾発力放出部と、からなり、
前記剤溶解促進部は、前記渦巻きばねと水処理用添加剤とを連結し、当該渦巻きばねの放出された弾発力で回転する攪拌軸であることを特徴とする請求項１に記載の水処理用添加剤の添加装置。
【請求項４】
前記可動部は、機器蓋体の締め付け回転に伴って回転するギア群であり、
前記エネルギー蓄積部は、前記ギア群の回転に伴って電気エネルギーを発生する発電部と、当該発電部で発生した電気エネルギーを蓄電する蓄電部と、からなり、
前記剤溶解促進部は、前記水処理用添加剤を電極として形成し、当該電極と前記蓄電部とを電気的に導通して連結する電気導体軸であることを特徴とする請求項１に記載の水処理用添加剤の添加装置。
【請求項５】
水に浸漬される水処理用添加剤を備え、当該水処理用添加剤の添加成分を水に溶解させることにより水質改善して活水化する水処理用添加剤の添加装置であって、
水処理用添加剤に供給する水の流れを利用してエネルギーを発生するエネルギー発生部と、
前記エネルギー発生部で発生されたエネルギーを利用して水処理用添加剤の添加成分を水に溶解させる剤溶解促進部と、を備えることを特徴とする水処理用添加剤の添加装置。
【請求項６】
請求項１〜５に記載のいずれか１つの水処理用添加剤の添加装置を備えて構成されることを特徴とする水処理装置。
【発明の詳細な説明】
【技術分野】
【０００１】
本発明は、水処理用添加剤の添加装置およびその添加装置を用いた水処理装置に関する。
【背景技術】
【０００２】
従来、添加剤を水に溶解させて活水化する水処理装置として、水を溜める容器の底部に、二重壁構造の添加剤容器を周囲に形成した円筒状スリーブを設け、その円筒状スリーブの中心部にＹ字状の攪拌翼を回転自在に配置したものがある。そして、容器の受け台内に配置した電動機の回転を、磁力を介して攪拌翼の基部に伝達し、その基部と一体に攪拌翼を回転させることにより、攪拌翼の周りの水を磁化させつつ乱流を発生させ、その乱流で前記添加剤容器内の添加剤成分を水に溶解させるようになっている（例えば、特許文献１参照）。
【先行技術文献】
【特許文献】
【０００３】
【特許文献１】特表２００６−５０７９２４号公報
【発明の概要】
【発明が解決しようとする課題】
【０００４】
しかしながら、かかる従来の水処理装置にあっては、攪拌翼を電動機によって回転するため、その電動機を駆動するための外部電源が必要となり、活水化するためにエネルギーコストがかかってしまう。
【０００５】
また、電動機の駆動音が騒音となってしまうとともに、電動機の回転を磁力を介して攪拌翼に伝達するための機構構造が複雑となってしまう。
【０００６】
さらに、攪拌翼が高速回転するための危険性を伴うとともに、水を溜める容器内に攪拌部が設置されるため、清掃などの手入れが困難になってしまう。
【０００７】
そこで、本発明は、外部エネルギーを用いることなく簡便かつ効率良く添加剤の成分を溶解させるとともに、騒音を低減し、かつ、安全性を高めつつ、手入れを簡単化できるようにした水処理用添加剤の添加装置および水処理装置を得ることを目的とする。
【課題を解決するための手段】
【０００８】
請求項１の発明にあっては、水に浸漬される水処理用添加剤を備え、当該水処理用添加剤の添加成分を水に溶解させることにより水質改善して活水化する水処理用添加剤の添加装置であって、機器のセッティング動作に伴って動作する可動部と、前記可動部によって作動してエネルギーを蓄積するエネルギー蓄積部と、前記エネルギー蓄積部で蓄積されたエネルギーを利用して水処理用添加剤の添加成分を水に溶解させる剤溶解促進部と、を備えることを特徴とする。
【０００９】
請求項２の発明にあっては、前記可動部は、機器蓋体の締め付け回転に伴って回転するギア群であり、前記エネルギー蓄積部は、前記ギア群の回転に伴って電気エネルギーを発生する発電部と、当該発電部で発生した電気エネルギーを蓄電する蓄電部と、からなり、前記剤溶解促進部は、前記蓄電部と水処理用添加剤とを電気的に導通して連結するとともに、前記ギア群の回転に伴って回転する電気導体軸であることを特徴とする。
【００１０】
請求項３の発明にあっては、前記可動部は、機器蓋体の締め付け回転に伴って回転するギア群であり、前記エネルギー蓄積部は、前記ギア群の回転に伴って弾発力を蓄積する渦巻きばねと、当該渦巻きばねの蓄積された弾発力を一定の条件で放出する弾発力放出部と、からなり、前記剤溶解促進部は、前記渦巻きばねと水処理用添加剤とを連結し、当該渦巻きばねの放出された弾発力で回転する攪拌軸であることを特徴とする。
【００１１】
請求項４の発明にあっては、前記可動部は、機器蓋体の締め付け回転に伴って回転するギア群であり、前記エネルギー蓄積部は、前記ギア群の回転に伴って電気エネルギーを発生する発電部と、当該発電部で発生した電気エネルギーを蓄電する蓄電部と、からなり、前記剤溶解促進部は、前記水処理用添加剤を電極として形成し、当該電極と前記蓄電部とを電気的に導通して連結する電気導体軸であることを特徴とする。
【００１２】
請求項５の発明にあっては、水に浸漬される水処理用添加剤を備え、当該水処理用添加剤の添加成分を水に溶解させることにより水質改善して活水化する水処理用添加剤の添加装置であって、水処理用添加剤に供給する水の流れを利用してエネルギーを発生するエネルギー発生部と、前記エネルギー発生部で発生したエネルギーを利用して水処理用添加剤の添加成分を水に溶解させる剤溶解促進部と、を備えることを特徴とする。
【００１３】
請求項６の発明にかかる水処理装置にあっては、請求項１〜５に記載のいずれか１つの水処理用添加剤の添加装置を備えて構成したことを特徴とする。
【発明の効果】
【００１４】
請求項１の発明によれば、機器をセッティングすることに伴って可動部が動作して、エネルギー蓄積部にエネルギーを蓄積することができ、そのエネルギーによって水に浸漬した水処理用添加剤の添加成分を積極的に溶解させることができる。従って、エネルギーを発生して添加成分を溶解させるという一連の動作を、外部エネルギーを用いることなく機器のセッティング動作によって行わせることができ、簡便かつ効率良く添加剤の成分を溶解させることができる。また、水処理用添加剤の溶解促進は機器のセッティング動作であるため、騒音を低減し、かつ、安全性を高めることができるとともに、水に浸漬される部分を主に水処理用添加剤とすることができるため手入れを簡単化できる。
【００１５】
請求項２の発明によれば、機器蓋体の締め付け回転に伴って可動部であるギア群が回転して電気導体軸を回転し、この電気導体軸を介して水処理用添加剤を攪拌する。これと同時に、ギア群の回転によりエネルギー蓄積部の発電部で発生した電気エネルギーを蓄電部に蓄電し、その蓄電した電気エネルギーを電気導体軸を介して水処理用添加剤に供給する。したがって、水処理用添加剤は、攪拌と電気的との両方によって添加成分を水に溶解させることができるため、溶解効率を高めることができる。
【００１６】
請求項３の発明によれば、機器蓋体の締め付け回転に伴って可動部であるギア群が回転して、エネルギー蓄積部の渦巻きばねを巻き取って弾発力を蓄積し、その弾発力を弾発力放出部によって一定の条件で放出して剤溶解促進部である攪拌軸を回転する。そして、その攪拌軸で水処理用添加剤を攪拌して、水処理用添加剤の溶解を促進することができる。したがって、弾発力放出部により放出された渦巻きばねの弾発力で勢い良く水処理用添加剤を攪拌できるため、溶解効率を高めることができる。
【００１７】
請求項４の発明によれば、機器蓋体の締め付け回転に伴って可動部であるギア群が回転して、エネルギー蓄積部の発電部で発生した電気エネルギーを蓄電部に蓄電し、その蓄電部に電気的に導通した電気導体軸を介して、電極として形成した水処理用添加剤に通電して、水処理用添加剤を溶解させる。したがって、水処理用添加剤を電極としたことにより、溶解し難い添加剤を効率よく溶解させることができる。
【００１８】
請求項５の発明によれば、エネルギー発生部では、外部エネルギーを用いることなく水処理用添加剤に供給する水の流れを利用してエネルギーを発生させることができる。そして、剤溶解促進部では、エネルギー発生部で発生されたエネルギーを利用して水処理用添加剤の添加成分を水に溶解させることができるため、簡便かつ効率良く添加剤の成分を溶解させるとともに、騒音を低減し、かつ、安全性を高めつつ、簡素な構成にできるため手入れを簡単化できる。
【００１９】
請求項６の発明にかかる水処理装置にあっては、請求項１〜５に記載のいずれか１つの水処理用添加剤の添加装置を備えたので、それぞれの添加装置で発揮する効果を享有しつつ水質改善して活水化し、飲用に適した水をより迅速に得ることができる。
【図面の簡単な説明】
【００２０】
【図１】図１は、本発明の第１実施形態にかかる水処理用添加剤の添加装置を備えた水処理装置の断面図である。
【図２】図２は、図１に示す添加装置のギア群を示す分解斜視図である。
【図３】図３は、図１に示す添加装置のギア群の噛合状態を示す平面図である。
【図４】図４は、本発明の第２実施形態にかかる水処理用添加剤の添加装置を備えた水処理装置の断面図である。
【図５】図５は、図４に示す添加装置のギア群を示す分解斜視図である。
【図６】図６は、本発明の第３実施形態にかかる水処理用添加剤の添加装置を備えた水処理装置の断面図である。
【図７】図７は、本発明の第４実施形態にかかる水処理用添加剤の添加装置を備えた水処理装置を模式的に示した断面図である。
【発明を実施するための形態】
【００２１】
以下、本発明の実施形態について図面を参照しつつ詳細に説明する。
【００２２】
［第１実施形態］
図１〜図３は本発明にかかる水処理用添加剤の添加装置１０および水処理装置１の第１の実施形態を示し、本実施形態の添加装置１０は、水に浸漬される水処理用添加剤（以下、単に添加剤と称する）１１を備え、この添加剤１１の添加成分を水に溶解させることにより水質改善して活水化するようになっており、水処理装置１は、添加装置１０を用いて水処理する機器として提供される。
【００２３】
水処理装置１は、水を溜めておく有底筒状の容器本体２と、この容器本体２の上端開口部２ａを開閉自在に閉止する蓋体３と、を備え、それら容器本体２および蓋体３に添加装置１０が組み込まれる。
【００２４】
蓋体３は、内蓋３Ｍと外蓋３Ｎとによって二重構造として構成され、それら内蓋３Ｍおよび外蓋３Ｎは、平坦な天板３Ｍａ、３Ｎａと、それら天板３Ｍａ、３Ｎａの外周縁から垂設される外周壁３Ｍｂ、３Ｎｂと、によってそれぞれが断面コ字状に形成される。内蓋３Ｍの外周壁３Ｍｂの内周には雌ねじ部３Ｍｓが形成され、その雌ねじ部３Ｍｓが、容器本体２の上端部外周に形成された雄ねじ部２ｓに螺合され、内蓋３Ｍを回転によりそれら雌ねじ部３Ｍｓと雄ねじ部２ｓとが締め付けられて、内蓋３Ｍで容器本体２の上端開口部２ａを閉塞するようになっている。
【００２５】
内蓋３Ｍは、後述するギア群１２を介して外蓋３Ｎの回転により回転される。また、内蓋３Ｍの外周壁３Ｍｂの上端部外側が、外蓋３Ｎの外周壁３Ｎｂの下端部によって覆われることにより、外見上、内蓋３Ｍと外蓋３Ｎの一体感が与えられるようになっている。
【００２６】
ここで、本実施形態の添加装置１０は、図１に示すように、水処理装置１のセッティング、つまり、容器本体２に水を注入して蓋体３を閉める動作に伴って動作する可動部としてのギア群１２と、このギア群１２によって作動してエネルギーを蓄積するエネルギー蓄積部１３と、このエネルギー蓄積部１３で蓄積されたエネルギーを利用して添加剤１１の添加成分を水に溶解させる剤溶解促進部としての電気導体軸１４と、を備えて概ね構成される。
【００２７】
ギア群１２は、図２および図３にも示すように、主として遊星歯車機構１２Ｇを備えて構成される。この遊星歯車機構１２Ｇは、内蓋３Ｍの天板３Ｍａの上面中央部に回転自在に配置されるサンギア１２ｓと、外蓋３Ｎの外周壁３Ｎｂの内周に固定されるリングギア１２ｒと、これらサンギア１２ｓとリングギア１２ｒとの間に噛合して転動自在に配置されるプラネタリギア１２ｐと、により構成される。プラネタリギア１２ｐは、サンギア１２ｓを中心にして対向位置に一対設けられ、内蓋３Ｍの天板３Ｍａの上面に突設された支軸１５に回転自在に取り付けられる。このとき、内蓋３Ｍの天板３Ｍａはキャリアとして機能する。また、本実施形態では、プラネタリギア１２ｐは、サンギア１２ｓよりも大径に形成されている。
【００２８】
ギア群１２は、上述の遊星歯車機構１２Ｇに加えて、一対のプラネタリギア１２ｐの上面にそれぞれ一体に設けられる小径ギア１２ｋと、サンギア１２ｓと同軸に相対回転自在に配置され各小径ギア１２ｋに噛合するセンターギア１２ｍと、を備えている。
【００２９】
したがって、蓋体３は、図３に示すように、外蓋３Ｎを回転（矢印ａ）することにより、リングギア１２ｒに噛合したプラネタリギア１２ｐの自転（矢印ｂ）を伴ってサンギア１２ｓが回転（矢印ｃ）する。このとき、プラネタリギア１２ｐは、自転しつつサンギア１２ｒの周りを公転（矢印ｄ）し、この公転が支軸１５を介して内蓋３Ｍに伝達されて、この内蓋３Ｍは外蓋３Ｎと同方向に回転されることになる。因に、内蓋３Ｍの回転角は外蓋３Ｎよりも小さくなる。
【００３０】
このように、外蓋３Ｎを回転することにより内蓋３Ｍが回転し、内蓋３Ｍの雌ねじ部３Ｍｓが容器本体２の雄ねじ部２ｓに締め付けられ、蓋体３が取り付けられることになる。なお、蓋体３を取り外すときは、外蓋３Ｎを逆方向に回転することにより、遊星歯車機構１２Ｇが上述した締め付け時とは逆に作動して、内蓋３Ｍを、雌ねじ部３Ｍｓと雄ねじ部２ｓとを離脱させる方向に弛めることができる。
【００３１】
また、外蓋３Ｎの回転によってプラネタリギア１２ｐが回転すると、このプラネタリギア１２ｐと共に回転（矢印ｅ）する小径ギア１２ｋに噛合したセンターギア１２ｍが回転（矢印ｆ）される。因に、センターギア１２ｍの回転方向は外蓋３Ｎとは逆となる。
【００３２】
エネルギー蓄積部１３は、図１に示すように、ギア群１２の回転に伴って電気エネルギーを発生する発電部１６と、この発電部１６で発生した電気エネルギーを蓄電する蓄電部１７と、によって構成される。
【００３３】
発電部１６は、センターギア１２ｍの上面に埋設した永久磁石１６ａと、外蓋３Ｎの天板３Ｎａの上面中央部に設置したコイル１６ｂと、によって構成され、センターギア１２ｍに伴って永久磁石１６ａが回転することによって、それの磁束変化でコイル１６ｂに電流が発生されるようになっている。
【００３４】
蓄電部１７は、外蓋３Ｎの天板３Ｎａの下面中央部に設置され、上述のコイル１６ｂで発生した電気を蓄電する機能を備えており、その蓄電部１７は、電気を蓄電できるコンデンサや蓄電池などで構成される。また、蓄電部１７には、上述した電気導体軸１４の上端部１４ａが回転自在に導通されて、蓄電部１７で蓄電された電気を電気導体軸１４に供給するようになっている。
【００３５】
このように蓄電部１７に導通された電気導体軸１４は、図１に示すように、下端部１４ｂが容器本体２の下部に位置して、その下端部１４ｂに添加剤１１が取り付けられている。また、電気導体軸１４の中間部分は、内蓋３Ｍの天板３Ｍａとセンターギア１２ｍのそれぞれ中央部を相対回転自在に貫通するとともに、サンギア１２ｓの中央部を回転方向に係止して貫通している。したがって、電気導体軸１４は、蓄電部１７から電気が供給されるとともに、サンギア１２ｓの回転に伴って回転されることになる。
【００３６】
本実施形態の添加装置１０を用いた水処理装置１では、蓋体３を容器本体２から外して上端開口部２ａを開放し、その上端開口部２ａから活水化しようとする水を少なくとも添加剤１１が浸漬される深さまで注入した後、蓋体３によって上端開口部２ａを閉止する。このとき、蓋体３による上端開口部２ａの閉止は、上述したように、外蓋３Ｎを回転することにより作動されるギア群１２を介して内蓋３Ｍが回転し、その内蓋３Ｍの雌ねじ部３Ｍｓが容器本体２の雄ねじ部２ｓに締め付けられることにより行われる。
【００３７】
そして、外蓋３Ｎの回転により作動するギア群１２は、遊星歯車機構１２Ｇのサンギア１２ｓが回転することに伴って電気導体軸１４が回転し、これによって電気導体軸１４の下端部１４ｂに取り付けた添加剤１１を攪拌して、その添加剤１１の添加成分を水に溶解させることができる。このとき、サンギア１２ｓとプラネタリギア１２ｐとのギア径を変化させることにより、電気導体軸１４の回転数を変更でき、予め、それらのギア径を最適状態に決定しておくことにより、電気導体軸１４を最適な回転数に設定することができる。
【００３８】
また、電気導体軸１４には、ギア群１２の作動によってセンターギア１２ｍの永久磁石１６ａとコイル１６ｂとによって発生する電流を蓄電した蓄電部１７から電気が供給されるため、電気導体軸１４に取り付けた添加剤１１は、電気的に添加成分の溶解が促進されることになる。もちろん、添加剤１１は、攪拌により添加成分が溶解されるとともに、電気的にも添加成分が溶解される組成として形成されている。
【００３９】
以上の構成により、第１の実施形態の添加装置１０によれば、水処理装置１をセッティング、つまり、本実施形態では蓋体３（詳細には外蓋３Ｎ）を閉めることに伴って可動部であるギア群１２が動作して、エネルギー蓄積部１３に電気エネルギーを蓄積することができる。そして、その電気エネルギーによって水に浸漬した添加剤１１の添加成分を、攪拌と電気的とによって積極的に溶解させることができる。従って、電気エネルギーを発生して添加剤１１の添加成分を溶解させるという一連の動作を、外部エネルギーを用いることなく水処理装置１のセッティング動作によって行わせることができ、簡便かつ効率良く添加剤１１の成分を溶解させることができる。また、添加剤１１の溶解促進は水処理装置１のセッティング動作であるため、騒音を低減し、かつ、安全性を高めることができるとともに、水に浸漬される部分を主に添加剤１１とすることができるため手入れを簡単化できる。
【００４０】
また、本実施形態では、外蓋３Ｎの締め付け回転に伴って可動部であるギア群１２が回転して電気導体軸１４を回転し、この電気導体軸１４介して添加剤１１を攪拌する。これと同時に、ギア群１２の回転によりエネルギー蓄積部１３の発電部１６で発生した電気エネルギーを蓄電部１７に蓄電し、その蓄電した電気を電気導体軸１４を介して添加剤１１に供給する。したがって、添加剤１１は、上述したように攪拌と電気的との両方によって添加成分を水に溶解させることができるため、溶解効率を高めることができる。
【００４１】
このとき、外蓋３Ｎを人の手で閉める回転角度はほぼ一定であるため、添加剤１１の攪拌をほぼ正確に行うことができ、したがって、常にほぼ一定の添加成分を溶解することができる。
【００４２】
さらに、上記添加装置１０を用いた水処理装置１によれば、上述した添加装置１０で発揮する効果を享有しつつ、容器本体２内に溜めた水を水質改善して活水化し、飲用に適した水をより迅速に得ることができる。
【００４３】
［第２実施形態］
図４および図５は、本発明の第２の実施形態を示し、前記第１の実施形態と同一構成部分に同一符号を付して重複する説明を省略して述べるものとする。
【００４４】
本実施形態の添加装置１０Ａは、基本的に第１の実施形態の添加装置１０と同様に、水処理装置１Ａの容器本体２の蓋体３は、内蓋３Ｍと外蓋３Ｎとによって二重構造となり、それら内蓋３Ｍと外蓋３Ｎとの間に、蓋体３（詳細には外蓋３Ｎ）の締め付け回転に伴って回転する可動部としてのギア群１２Ａが配置されている。本実施形態のギア群１２Ａは、第１の実施形態で示したと同様の遊星歯車機構１２Ｇのみで構成され、サンギア１２ｓと、リングギア１２ｒと、支軸１５に支持されたプラネタリギア１２ｐと、によって構成される。
【００４５】
ここで、本実施形態が第１の実施形態と主に異なる点は、エネルギー蓄積部２０を、ギア群１２Ａの回転に伴って弾発力を蓄積する渦巻きばね２１と、この渦巻きばね２１の蓄積された弾発力を一定の条件で放出する弾発力放出部２２と、によって構成したことにある。また、渦巻きばね２１と添加剤１１Ａとを、渦巻きばね２１の放出された弾発力で回転する剤溶解促進部としての攪拌軸１４Ｓで連結したことにある。
【００４６】
攪拌軸１４Ｓは、第１の実施形態に示した電気導体軸１４に代わるもので、その攪拌軸１４Ｓはサンギア１２ｓの中心部に回転方向に係止して貫通されている。なお、攪拌軸１４Ｓには電気導通機能は必要としない。
【００４７】
また、攪拌軸１４Ｓの上端部１４Ｓａは、外蓋３Ｎの天板３Ｎａの下面中央部に突設した軸受１８に回転自在に支持されるとともに、下端部１４Ｓｂには、第１の実施形態と同様に添加剤１１Ａが取り付けられている。
【００４８】
渦巻きばね２１は、ギア群１２Ａと外蓋３Ｎの天板３Ｎａとの間に、攪拌軸１４Ｓを巻回するように配置され、その巻回部分の中心部には攪拌軸１４Ｓに固定される弾発力放出部２２が配置されている。そして、図５に示すように、渦巻きばね２１の外周側端部２１ａは、連結ピン２１Ｃを介して一方の支軸１５に連結されるとともに、内周側端部２１ｂは弾発力放出部２２の外周部に固定されている。
【００４９】
弾発力放出部２２は、渦巻きばね２１が巻き取られる際の弾発力を、図示省略したトリガーなどによって保持できるようになっており、その巻き取られた弾発力を一定の条件の元にトリガーなどのロックを解除して攪拌軸１４Ｓを回転できるようになっている。このときの、トリガーを解除する条件とは、（１）一定の巻取り量に達した時点、（２）一定の温度（冷却温度）に達した時点、（３）気圧が一定値に降下された時点、（４）一定時間が経過した時点、（５）水の温度および水質が一定条件となる時点、または、（６）一定の振動が付加された時点などである。
【００５０】
（１）の一定の巻取り量は、渦巻きばね２１を巻き取りに伴って増加する弾発力が一定に達するとトリガーが外れる構成とすることができる。
【００５１】
（２）の一定の温度は、バイメタルの撓み量が一定に達するとトリガーが外れる構成とすることができ、もしくは、トリガー自体をバイメタルで形成することもできる。この場合、冷蔵庫などに水処理装置を保存して冷却温度が一定に達すると、トリガーが外れるようにバイメタルを調整しておくことができる。つまり、低温の方が溶解効率が良い炭酸剤などの添加成分である場合に、一定の冷却温度で添加剤１１Ａを攪拌することにより、常温では不安定な添加剤１１Ａを良く溶かすことができる。また、バイメタルに代えて温度スイッチによってトリガーを外すようにしてもよい。
【００５２】
（３）一定の気圧は、弾性変形可能な密閉容器内の気圧が、冷却温度の変化に伴って変化する一定量のひずみを検知してトリガーを外す構成とすることができる。
【００５３】
（４）の一定時間は、渦巻きばねを二重構造とし、一方の渦巻きばねで専ら弾発力を溜めるばねとするとともに、他方の渦巻きばねを一定時間後に巻が戻るばねとし、後者の渦巻きばねの巻が戻るときにトリガーを外す構成とすることができる。
【００５４】
（５）の水の温度および水質は、電池で稼働して温度および水質を検知する検知センサーを用い、その検知センサーで一定温度かつ水の一定導電率を測定してトリガーを外す構成とすることができる。
【００５５】
（６）の一定の振動は、水処理装置を身体に付けて形態する場合に、ジョギングなどの運動中の体の揺れを検知してトリガーを外す構成とすることができる。
【００５６】
以上の構成により、第２の実施形態の添加装置１０Ａによれば、蓋体３（詳細には外蓋３Ｎ）を閉めることに伴ってギア群１２Ａが動作して渦巻きばね２１の弾発力を蓄積し、その渦巻きばね２１の弾発力で攪拌軸１４Ｓを回転して、添加剤１Ａの成分を積極的に溶解させることができる。従って、第１の実施形態と同様に、渦巻きばね２１の弾発力を蓄積して添加剤１１Ａの添加成分を溶解させるという一連の動作を、外部エネルギーを用いることなく水処理装置１Ａのセッティング動作によって行わせることができ、簡便かつ効率良く添加剤１１の成分を溶解させることができる。また、添加剤１１の溶解促進は水処理装置１のセッティング動作であるため、騒音を低減し、かつ、安全性を高めることができるとともに、水に浸漬される部分を主に添加剤１１とすることができるため手入れを簡単化できる。
【００５７】
また、本実施形態では、外蓋３Ｎの回転に伴って蓄積された渦巻きばね２１の弾発力を、弾発力放出部２２によって一定の条件で放出して攪拌軸１４Ｓを回転し、添加剤１１Ａの溶解を促進することができる。したがって、弾発力放出部２２により放出された渦巻きばね２１の弾発力で勢い良く添加剤１１Ａを攪拌できるため、溶解効率を高めることができる。更に、弾発力放出部２２で設定した弾発力の放出条件を各種設定でき、水処理装置１Ａの適用範囲を広げることができる。
【００５８】
［第３実施形態］
図６は、本発明の第３の実施形態を示し、前記第１の実施形態と同一構成部分に同一符号を付して重複する説明を省略して述べるものとする。
【００５９】
本実施形態の添加装置１０Ｂは、基本的に第１の実施形態の添加装置１０と同様の構成となっており、遊星歯車機構１２Ｇおよび小径ギア１２ｋ、センターギア１２ｍを備えたギア群１２と、永久磁石１６ａとコイル１６ｂとからなる発電部１６および蓄電部１７を備えたエネルギー蓄積部１３と、上端部１４ａが蓄電部１７に回転自在に接触して導通され、下端部１４ｂに添加剤１１Ｂを取り付けた電気導体軸１４と、を備えて概ね構成される。なお、本実施形態では、発電部のコイル１６ｂと蓄電部１７が一体化されて、外蓋３Ｎ内に格納されている。
【００６０】
ここで、本実施形態が第１の実施形態と主に異なる点は、添加剤１１Ｂを電極Ｅ１として形成したことにある。
【００６１】
即ち、本実施形態では、蓄電部１７に蓄電された電気を電気導体軸１４を介して添加剤１１Ｂに供給することにより、その添加剤１１Ｂと容器本体２との間に電位差を発生させて、電極Ｅ１とした添加剤１１Ｂから添加成分のイオン、たとえば、電極Ｅ１をカルシウムを含む導電性材料で形成して、そのカルシウムイオンを水に溶解させるようになっている。
【００６２】
したがって、本実施形態では、電極Ｅ１を直流電気の陽極とする一方、容器本体２も電気導体材料で形成して陰極とする。この場合、蓄電部１７から電気導体軸１４に正電流を流すとともに、外蓋３Ｎに負電流を流すことにより達成される。もちろん、蓋体３の外蓋３Ｎと内蓋３Ｍを電気導体材料で形成し、それら外蓋３Ｎと内蓋３Ｍとを電気的に短絡させておくことになる。
【００６３】
また、電気導体軸１４は、少なくとも容器本体２内の水と接触する部分、および、サンギア１２ｓを貫通する部分の表面を電気絶縁材で被覆しておく必要がある。
【００６４】
以上の構成により、第３の実施形態の添加装置１０Ｂによれば、蓋体３（詳細には外蓋３Ｎ）を閉めることに伴ってギア群１２を介してエネルギー蓄積部１３に電気エネルギーを蓄積し、水に浸漬した添加剤１１Ｂ（電極Ｅ１）の添加成分をイオン化して積極的に溶解させることができる。従って、第１の実施形態と同様に、電気エネルギーを発生して添加剤１１Ｂの添加成分を溶解させるという一連の動作を、外部エネルギーを用いることなく水処理装置１Ｂのセッティング動作によって行わせることができ、簡便かつ効率良く添加剤１１Ｂの成分を溶解させることができる。また、添加剤１１Ｂの溶解促進は水処理装置１Ｂのセッティング動作であるため、騒音を低減し、かつ、安全性を高めることができるとともに、水に浸漬される部分を主に添加剤１１とすることができるため手入れを簡単化できる。
【００６５】
また、本実施形態では、添加剤１１Ｂを電極Ｅ１として電位差を発生させ、添加剤１１Ｂの添加成分をイオン化させて水に溶解させるようにしたので、溶解し難い添加剤１１Ｂを効率よく溶解させることができる。
【００６６】
ところで、本実施形態では電極Ｅ１となる添加剤１１Ｂをカルシウムで形成したが、これに銀を含有させておくことにより、銀イオンの溶解で殺菌作用を兼備させることができる。
【００６７】
なお、本実施形態では、容器本体２自体を陰極とした場合を示したが、これに限ることなく容器本体２内の水中に、この容器本体２とは別体の陰極を別途挿入してもよく、この場合は、容器本体２を電気導体材料で形成する必要が無くなる。
【００６８】
［第４実施形態］
図７は、本発明にかかる添加装置１０Ｃおよび水処理装置１Ｃの第４の実施形態を示し、本実施形態の添加装置１０Ｃは、水に浸漬される添加剤１１Ｃを備え、この添加剤１１Ｃの添加成分を水に溶解させることにより水質改善して活水化するようになっており、水処理装置１Ｃは、添加装置１０Ｃを用いて水処理する機器として提供される。
【００６９】
水処理装置１Ｃは、水を供給する通水路３０に添加装置１０Ｃを組み込むことにより構成され、その添加装置１０Ｃは、添加剤１１Ｃに供給する水の流れ、つまり、通水路３０内の水流を利用してエネルギーを発生するエネルギー発生部３１と、このエネルギー発生部３１で発生されたエネルギーを利用して添加剤１１Ｃの添加成分を水に溶解させる剤溶解促進部３２と、を備えて構成される。
【００７０】
本実施形態の添加剤１１Ｃは、第３の実施形態と同様に電極Ｅ２として形成され、この電極Ｅ２はカルシウムまたは銀、またはそれらカルシウムと銀とを混合して形成してある。そして、電極Ｅ２とした添加剤１１Ｃは、絶縁材料で形成した取付台３３を介して通水路３０の内部、つまり水中に突出させて固定されている。
【００７１】
エネルギー発生部３１は、放射状に配置される複数の羽根車３４ａを備えて、通水路３０内の水流で回転する水車３４と、この水車３４の回転により電磁誘導を誘起してパルス電流を発生させる電流発生部３５と、を備えて構成される。
【００７２】
剤溶解促進部３２は、電流発生部３５の陽極と上述の電極Ｅ２とを電気接続するハーネス３６と、このハーネス３６の途中に介装して電極Ｅ２に供給するパルス電流を制御する制御部３７と、を備えて構成される。なお、電流発生部３５の陰極は直接通水路３０に接続してある。
【００７３】
以上の構成により、第４の実施形態の添加装置１０Ｃによれば、エネルギー発生部３１では、外部エネルギーを用いることなく添加剤１１Ｃに供給する水の流れ、つまり、通水路３０内の水流を利用してエネルギー（パルス電流）を発生させることができる。そして、剤溶解促進部３２では、エネルギー発生部３１で発生したエネルギーを利用して、電極Ｅ２とした添加剤１１Ｃの添加成分を、第３の実施形態と同様に電位差によって水に溶解させることができる。これにより、簡便かつ効率良く添加剤１１Ｃの成分を溶解させるとともに、騒音を低減し、かつ、安全性を高めつつ、簡素な構成にできるため手入れを簡単化できる。
【００７４】
特に、本実施形態では、エネルギー発生部３１でパルス電流を発生させ、そのパルス電流で電極Ｅ２とした添加剤１１Ｃを電位差によってイオン化させて、添加成分を水に溶解させるようにしたので、通水路３０内の流量に正確に合わせた添加が可能となる。このことは、パルス電流を起電する水車３４の回転数が、通水路３０内の流量にほぼ比例したことによる。
【００７５】
また、電極Ｅ２とした添加剤１１Ｃをカルシウムで形成することにより、通水路３０の下流側にカルシウムが溶解された活水を作り出すことができるとともに、添加剤１１Ｃに銀を含有させておくことにより、その活水に殺菌作用を持たせることができる。
【００７６】
なお、本実施形態では、添加剤を、電極Ｅ２として形成することなく、容易に添加成分が溶解される剤で形成した場合は、エネルギー発生部３１で発生した水力エネルギーを加振機などの物理振動に変換させて添加剤に印加することができる。この場合は、剤溶解促進部は添加剤を振動させる加振機などの手段となる。
【００７７】
ところで、本発明の水処理用添加剤の添加装置および水処理装置は、前記第１〜第４の実施形態に例をとって説明したが、これら実施形態に限ることなく本発明の要旨を逸脱しない範囲で各種変更が可能である。
【００７８】
たとえば、第１〜第３の実施形態に示した可動部は、ギア群に限ることなく蓋体の回転力でエネルギー蓄積部にエネルギーを蓄積できる構造であればよい。また、機器のセッティングは、蓋体の回転に限ることなく、たとえば、ハンドルによってセッティングする場合は、そのハンドルの操作となる。さらに、容器本体２の形状は、有底筒状に限ることなく、水を溜めることができるその他の形状であってもよい。
【符号の説明】
【００７９】
１、１Ａ、１Ｂ、１Ｃ  水処理装置（機器）
３  蓋体
１０、１０Ａ、１０Ｂ、１０Ｃ  添加装置
１１、１１Ａ、１１Ｂ、１１Ｃ  添加剤（水処理用添加剤）
１２、１２Ａ  ギア群（可動部）
１３、２０  エネルギー蓄積部
１４  電気導体軸（剤溶解促進部）
１４Ｓ  攪拌軸（剤溶解促進部）
１６  発電部
１７  蓄電部
２１  渦巻きばね
２２  弾発力放出部
３１  エネルギー発生部
３２  剤溶解促進部
Ｅ１、Ｅ２  電極
【図１】
2010274146.tif 000003
【図２】
2010274146.tif 000004
【図３】
2010274146.tif 000005
【図４】
2010274146.tif 000006
【図５】
2010274146.tif 000007
【図６】
2010274146.tif 000008
【図７】
2010274146.tif 000009